(57)【要約】【課題】放熱効率を向上させながらも、日射の影響を低減できる屋外装置用日除け装置を提供する。【解決手段】日除け板２は、日除け板２の開口部５が、放熱用フィン４の上端面に対向する位置に配設されており、日除け板３は、日除け板３の開口部５が、日除け板２の開口部５と重ならない位置に配設されている。日除け板２と日除け板３は、日除け板２の開口部５と日除け板３の開口部５を千鳥配置として、日除け板３の開口部５から差し込む日差しが、日除け板２の開口部５を通って、放熱用フィン４まで照射されないように日除け板２と日除け板３の間隔が調整されている。【選択図】図２
2012059894.tif 000002
【特許請求の範囲】
【請求項１】
発熱源を有する屋外装置の外部に取り付けられ、該屋外装置への日射光を遮る日除け板を有する日除け装置であって、
前記日除け板は、第１の日除け板と第２の日除け板からなる２枚構造の日除け板であり、
前記第１および第２の日除け板は、前記屋外装置の外部に設けられた放熱用フィンに沿って開口部が形成されており、前記第１の日除け板の開口部と前記第２の日除け板の開口部とが千鳥配置となるように配設されていることを特徴とする屋外装置用日除け装置。
【請求項２】
前記第１の日除け板は、前記第１の日除け板の開口部が、前記放熱用フィンの上端面に対向する位置となるように配設されていることを特徴とする請求項１に記載の屋外装置用日除け装置。
【請求項３】
前記第１の日除け板と前記第２の日除け板の間隔は、前記第２の日除け板の開口部から差し込む日差しが、前記第１の日除け板の開口部を通って、前記放熱用フィンに照射されないように調整されていることを特徴とする請求項１または２に記載の屋外装置用日除け装置。
【発明の詳細な説明】
【技術分野】
【０００１】
本発明は、発熱源を有する屋外装置に日除けとして取り付けられる屋外装置用日除け装置に関する。
【背景技術】
【０００２】
屋外に配置される屋外装置（例えば、基地局装置）は、日射の影響を免れない。日射等の影響により、基地局装置の温度が上昇すれば、その寿命が縮小すると共にその性能が劣化してしまう。そこで、例えば、特許文献１のように、基地局装置の周囲に覆い被せるように、箱型の日除け装置を設置することが考えられる（図４）。この日除け装置１１は、基地局装置の正面や側面等の各面に対向して配置された日除け板１１ａを有し、この日除け板１１ａは、日除けのためのフィン１２が、その外面に沿って水平方法に長く伸びて形成され、互いに平行に配置されて多数設けられた構造（よろい戸（切り起こし）構造）となっている。
【０００３】
また、基地局装置などの屋外装置の内部には、例えば、パワーアンプ等の発熱源となりうる放熱の大きい部品が配置され、熱がこもりやすい。そこで、日除け板１１ａには、図５の部分拡大断面図に示すように、フィン１２の下側に、空気の出入りを促すための日除けの開口部（スリット孔）が、一律ある開口率を持って設けられている。フィン１２と日除け板１１ａとの間を経て、開口部（スリット孔）を通じて空気が日除け装置１１に出入りし、基地局装置からの放熱を促進する。
【先行技術文献】
【特許文献】
【０００４】
【特許文献１】特開２００６−２５７８０７号公報
【発明の概要】
【発明が解決しようとする課題】
【０００５】
しかしながら、日除け板が日射によって暖められ、その熱が、基地局装置の筐体に設けられた放熱用フィンへ再輻射するため、実際には日除け板の効果は、あまり上がらなかった。また、開口率を上げても、直接日射が入らないようにするためには、よろい戸（切り起こし）構造を採用するしかなく、これ以上に装置の冷却を高める手段は考えられていなかった。
【０００６】
本発明は、このような問題点に鑑みてなされたものであり、本発明の目的は、放熱効率を向上させながらも、日射の影響を低減できる屋外装置用日除け装置を提供することにある。
【課題を解決するための手段】
【０００７】
上記目的を達成するため、本発明は、発熱源を有する屋外装置の外部に取り付けられ、該屋外装置への日射光を遮る日除け板を有する日除け装置であって、前記日除け板は、第１の日除け板と第２の日除け板からなる２枚構造の日除け板であり、前記第１および第２の日除け板は、前記屋外装置の外部に設けられた放熱用フィンに沿って開口部が形成されており、前記第１の日除け板の開口部と前記第２の日除け板の開口部とが千鳥配置となるように配設されていることを特徴とする。
【０００８】
前記第１の日除け板は、前記第１の日除け板の開口部が、前記放熱用フィンの上端面に対向する位置となるように配設されていることが好ましい。
【０００９】
前記第１の日除け板と前記第２の日除け板の間隔は、前記第２の日除け板の開口部から差し込む日差しが、前記第１の日除け板の開口部を通って、前記放熱用フィンに照射されないように調整されていることが好ましい。
【発明の効果】
【００１０】
本発明は、基地局装置の放熱用フィンに沿って日除け板に開口部を設けているので、放熱用フィンからの放熱効率を高めることができるとともに、日除け板を２枚構造にしているので、直射日光を避けることもでき、また、１枚目の日除け板からの輻射も、２枚目の日除け板によって再輻射を極力抑えることができる。
【図面の簡単な説明】
【００１１】
【図１】本発明の実施の形態に係る日除け装置を装着した基地局装置を示す図である。
【図２】日除け板と基地局装置筐体との関係を説明する斜視図である。
【図３】日除け板と基地局装置筐体との関係を説明する断面図である。
【図４】従来の日除け装置の一例を示す斜視図である。
【図５】従来の日除け装置の一例を示す部分拡大断面図である。
【発明を実施するための形態】
【００１２】
本発明の実施の形態について、図面を参照して説明する。図１は、本発明の実施の形態に係る日除け装置を装着した基地局装置を示す図である。基地局装置１は、典型的には直方体であり、面積の大きい２つの面が上下となるように設置するか（平おき設置）、または面積の大きい２つの面が前後となるように設置する（吊り下げ設置もしくは縦置き）ことが一般的である。図１は、平おき設置した基地局装置１を垂直面から見た図である。基地局装置１は、設置面Ｇに対して固定されている。また、基地局装置１は、２枚構造の日除け板を備えており、天板から離して日除け板２および日除け板３を備えている。また、基地局装置１は発熱源を有するため、基地局装置１の筐体は、表面にヒートシンクが取り付けられており、ヒートシンクには、筐体内の熱を放熱するために放熱用フィン（図示せず）が設けられている。
【００１３】
図２は、日除け板と基地局装置筐体との関係を説明する斜視図である。日除け板２は、基地局装置１の筐体に設けられた放熱用フィン４の上端面から離して配設され、さらに、その上に、日除け板３が日除け板２から離して配設される。また、日除け板２および日除け板３は、放熱用フィン４から放射される熱を逃がすために、放熱用フィン４に沿って、長尺の複数の開口部（スリット孔）５を有する。このように、放熱用フィン４に沿って開口部５を有することによって、放熱用フィン４からの放熱効率を高めることができる。なお、日除け板２と放熱用フィン４の上端面との間隔は、通気性を確保するため３０ｍｍ以上であることが好ましい。
【００１４】
図３は、日除け板と基地局装置筐体との関係を説明する断面図である。日除け板２は、日除け板２の開口部５が、放熱用フィン４の上端面に対向する位置に配設されており、日除け板３は、日除け板３の開口部５が、日除け板２の開口部５と重ならない位置に配設されている。すなわち、日除け板２の開口部５と日除け板３の開口部５は、交互に配置されることにより千鳥配置となっている。日除け板２と日除け板３は、日除け板２の開口部５と日除け板３の開口部５を千鳥配置として、日除け板３の開口部５から差し込む日差しが、日除け板２の開口部５を通って、放熱用フィン４まで照射されないように日除け板２と日除け板３の間隔が調整されている。
【００１５】
本実施の形態の場合、日除け板３は、強い耐候性が求められるため、金属製とすることが好ましいが、日除け板２は、直接日光を受けることが少ないので、比熱の低いプラスチック等も十分に使用可能である。日除け板２をプラスチック製とすることにより、日除け板を２枚構造にすることによるコストに与える影響を小さくすることができる。
また、日除け板２に比熱の低い部材を選択することにより、日除け板３に蓄えられた日射による熱が、放熱用フィン４へ熱伝導する熱量を低く抑えることができる。
また、日除け板２は、表面反射率が高いことが好ましい。日除け板２の表面反射率を高めることによって、日除け板２からの輻射熱を、放熱用フィン４へ再輻射することを抑えることができる。
【００１６】
上述のように、本発明の実施の形態に係る基地局装置１は、放熱用フィン４に沿って日除け板２および日除け板３に開口部５を設けているので、放熱用フィン４からの放熱効率を高めることができる。
また、本発明の実施の形態に係る基地局装置１は、日除け板２の開口部５を、放熱用フィン４の上端面に対向する位置に配置しているので、放熱用フィン４からの放熱効率を高めることができる。
また、本発明の実施の形態に係る基地局装置１は、日除け板２と日除け板３の間に隙間を設ける構造により、日射による熱が筐体の放熱用フィン４に再輻射するのを抑えることができる。
また、本発明の実施の形態に係る基地局装置１は、日除け板２の開口部５と日除け板３の開口部５とを千鳥配置とし、直接日射が入らないようにしている。２枚構造にすることにより、よろい戸（切り起こし）構造よりも、突起物がないため、安全性を格段に高くすることができる。
【符号の説明】
【００１７】
１  基地局装置
２，３，１１ａ  日除け板
４  放熱用フィン
５  開口部
１１  日除け装置
１２  フィン
Ｇ  設置面
【図１】
2012059894.tif 000003
【図２】
2012059894.tif 000004
【図３】
2012059894.tif 000005
【図４】
2012059894.tif 000006
【図５】
2012059894.tif 000007